(57)【要約】【課題】画像データを第三者に送るにあたり、メール作成画面を起動させる際の操作及びメール作成画面から画像を読み出す際の操作等を簡略化し、操作性を向上させることができる携帯端末装置を提供する。【解決手段】閉状態にて表示面に選択した画像を表示した状態で開状態とすると、メール機能が自動的に起動して表示面に新規メールの作成画面を表示させるとともに、前記選択した画像データがメールに自動添付されるようにする。【選択図】      図５
2004153453.tif 000002
【特許請求の範囲】
【請求項１】
少なくとも表示部を有する表示部側筐体と、少なくとも主操作部を有する操作部側筐体とが開閉可能に連結され、前記主操作部は閉状態にて前記表示部側筐体により覆われ且つ開状態にて外側に露出するとともに、前記表示部の表示面は閉状態及び開状態のいずれの状態でも外側に露出させることが可能な携帯端末装置であって、当該携帯端末装置はメール機能を備えるとともに、複数の画像データの中から所望の画像データを選択する手段と、閉状態にて前記選択した所望の画像データを前記表示部に表示した状態から開状態とした時、前記メール機能を起動させて前記表示部にメール作成画面を表示させるとともに、前記選択した所望の画像データを前記メールに自動添付する手段とを具備することを特徴とする携帯端末装置。
【請求項２】
前記メール作成画面への入力完了後、開状態から閉状態とした時、メールを自動発信する手段を有することを特徴とする請求項１に記載の携帯端末装置。
【請求項３】
前記携帯端末装置に撮像装置を具備することを特徴とする請求項１又は請求項２に記載の携帯端末装置。
【請求項４】
前記撮像装置は操作部側筐体の主操作部を有する面と反対側の面に配置してなり、閉状態にてカメラ撮影することができることを特徴とする請求項３に記載の携帯端末装置。
【発明の詳細な説明】
【０００１】
【発明の属する技術分野】
本発明は、メール機能を搭載した携帯電話機やＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
近年、携帯電話機やＰＤＡ（Ｐｅｒｓｏｎａｌ  Ｄｉｇｉｔａｌ  Ａｓｓｉｓｔａｎｔｓ）等の携帯端末装置は、携帯性を高めるために折り畳み機構を持ったものが普及しつつあり、さらに携帯端末装置としての本来の機能に加え、付加的な機能を追加したものが種々提案されており、その一つにカメラ機能を備えたものがある。
例えば、特開２００２−３３８０９号公報や特開２００１−３２０４６３号公報には、折り畳んだ状態でカメラ撮影することができるカメラ付きの折り畳み携帯端末装置が開示されている。
【０００３】
【特許文献１】
特開２００２−３３８０９号公報
【特許文献２】
特開２００１−３２０４６３号公報
【０００４】
【発明が解決しようとする課題】
しかしながら、従来のカメラ付き折り畳み携帯端末装置は、カメラにより撮影した画像データを第三者にメールにて送る場合、ユーザーは折り畳まれた携帯端末装置を開く動作を行い、次いで所定の操作キーを操作してメール機能を起動させることにより表示部に新規メールの作成画面を読み出した後、送信メール文章を入力し、例えば、送信メール文章の入力後にカメラにより撮影した複数の画像データを読み出し、その中から送信したい所望の画像データを選択してメールに添付するといった手順を踏む必要があり、カメラにより撮影した画像データを第三者に送るまでに手間がかかるといった課題があった。
【０００５】
【発明の目的】
従って、本発明の第一の目的は、携帯端末装置に取り込まれた画像データを第三者にメールにて送るにあたり、メール作成画面に移行する際の操作性を簡略化することにある。また、第二の目的は、メールの発信操作を簡単化することにある。さらに第三の目的は、携帯端末装置に静止画や動画を取り込めるようにすることにあり、特に閉状態でも撮影を可能とすることにある。
【０００６】
【課題を解決するための手段】
そこで、本発明は上記課題に鑑み、少なくとも表示部を有する表示部側筐体と、少なくとも主操作部を有する操作部側筐体とが開閉可能に連結され、主操作部が閉状態にて前記表示部側筐体により覆われ且つ開状態にて外側に露出するとともに、表示部の表示面が閉状態及び開状態のいずれの状態でも外側に露出させることが可能な携帯端末装置であって、当該携帯端末装置はメール機能を備えるとともに、複数の画像データの中から所望の画像データを選択する手段と、閉状態にて前記選択した所望の画像データを前記表示部に表示した状態から開状態とした時、前記メール機能を起動させて前記表示部にメール作成画面を表示させるとともに、前記選択した所望の画像データを前記メールに自動添付する手段とを具備したことを特徴とする。
また、本発明の携帯端末装置は、前記メール作成画面への入力完了後、開状態から閉状態とした時、メールを自動発信する手段を有することを特徴とする。
さらに、本発明の携帯端末装置は、撮像装置を備えることを特徴とし、特に前記撮像装置は操作部側筐体の主操作部を有する面と反対側の面に配置し、閉状態にてカメラ撮影できるようにしたことを特徴とする。
【０００７】
【発明の実施の形態】
以下、本発明の実施形態について説明する。
図１は本発明の一例である携帯端末装置の閉状態を示す図で、（ａ）は正面図、（ｂ）は左側面図である。図２は本発明の一例である携帯端末装置の開状態を示す図で、（ａ）は正面図、（ｂ）は背面図である。図３は本発明の一例である携帯端末装置の開状態を示す図で、（ａ）は左側面図、（ｂ）は右側面図である。
この携帯端末装置１００は携帯電話機に適用したもので、図１及び図２に示すように、表示部１０６を有する表示部側筐体１０１ａと、主操作部１０２を有する操作部側筐体１０１ｂとから構成され、両筐体１０１ａ，１０１ｂは重ねて配置することができ、この場合、表示部側筐体１０１ａが操作部側筐体１０１ｂの主操作部１０２を覆うようになっている。
【０００８】
また、両筐体１０１ａ，１０１ｂは、重ねた状態（「閉状態」ともいう）において両筐体１０１ａ，１０１ｂを貫通する方向に設けられた軸１０４により連結されており、重ねた状態においても表示部１０６の表示面１０６ａを外側から見ることができるように、表示部側筐体１０１ａの操作部側筐体１０１ｂと反対側の面に表示部１０６を備えるとともに、重ねた状態でも各種機能を操作することができるように、表示部側筐体１０１ａ及び操作部側筐体１０１ｂの側面には補助操作部１０３を設けてある。
なお、１０７ａ，１０７ｂはそれぞれ表示部側筐体１０１ａの表示部１０６を有する面に設けられたスピーカーで、表示部１０６を挟んで上下に配置されており、また、１０８は操作部側筐体１０１ｂの主操作部１０２を有する面に設けられたマイク、１０５は操作部側筐体１０１ｂの端面に設けられたアンテナである。
【０００９】
そして、表示部側筐体１０１ａと操作部側筐体１０１ｂとが重ねられた状態から軸１０４を中心にして、表示部側筐体１０１ａを矢印Ａに示す方向に１８０度回動させることにより、図２及び図３に示すように、操作部側筐体１０１ｂに設けられた主操作部１０２が完全に外側に見える、開状態とすることができ、この時、表示部１０６は主操作部１０２と略同じ方向を向いた状態で回動するため、開状態でも表示部１０６の表示面１０６ａを外側から見ることができる。
【００１０】
また、本発明の携帯端末装置１００は、開状態において表示部側筐体１０１ａを操作部側筐体１０１ｂに対して傾斜させるようになっており、例えば、表示部側筐体１０１ａの表示部１０６を有する面と反対側の面を操作部側筐体１０１ｂの主操作部１０２を有する面に対して０度より大きく、７０度以下の角度範囲θで傾斜させることで、例えば、通話時に表示部側筐体１０１ａのスピーカー１０７ｂをユーザーの耳元に近づければ、操作部側筐体１０１ｂのマイク１０８をユーザーの口元に近づけることができるようになっている。
【００１１】
なお、本実施形態に係る携帯端末装置１００では、表示部側筐体１０１ａが軸１０４を中心にして回動するような構成を示したが、これとは別の実施形態として、レール等を設けて図１に示した状態から表示部側筐体１０１ａを操作部側筐体１０１ｂに対して上方にスライドさせる構造や、従来の技術である特開２００２−３３８０９号公報や特開２００１−３２０４６３号公報のように、表示部側筐体１０１ａと操作部側筐体１０１ｂとが連結部を介して連結され、この連結部が折り畳み動作と捻り動作を共に行うことができる構造としたものであっても良く、このように少なくとも表示部を有する表示部側筐体と、少なくとも主操作部を有する操作部側筐体とが開閉可能に連結され、主操作部が閉状態にて前記表示部側筐体により覆われ且つ開状態にて外側に露出するとともに、表示部の表示面が閉状態及び開状態のいずれの状態でも外側に露出させることが可能な構造を有するものであれば構わない。
【００１２】
次に、主操作部１０２及び補助操作部１０３について説明する。
主操作部１０２は図２（ａ）に示すように、文字や数字の入力を行うテンキー１０２ｃ、表示面１０６ａに表示されている項目の選択、決定や表示画面のスクロール等を行う十字キー１０２ａ、及び各種設定項目を呼び出したり、発呼や終話、あるいは電源のＯＮ／ＯＦＦ等を行うファンクションキー１０２ｂ等からなる。
【００１３】
補助操作部１０３は図１（ｂ）に示すように、表示部側筐体１０１ａの側面に有するサイドキー１０３ｂと、操作部側筐体１０１ｂの側面に有する３方向レバー１０３ａとからなり、サイドキー１０３ｂは、その押下により表示部１０６の表示画面を一つ前の画面に戻すことができるようになっており、また、３方向レバー１０３ａは、上下に移動させることにより表示面１０６ａに表示されている項目の選択や表示画面のスクロール等を行うことができ、また、押下することで決定ボタンとして機能するようになっている。なお、３方向レバー１０３ａは、後述するように撮像装置１０９の撮影ボタンとしても割り当てられている。
【００１４】
そして、図１に示すように、表示部側筐体１０１ａと操作部側筐体１０１ｂとが重ねられた閉状態では、主操作部１０２による操作ができないため、補助操作部１０３の操作によって、各種機能を起動させることができるとともに、着信があった場合、通話することができるようにもなっている。
即ち、閉状態にて携帯端末装置１００に着信があった場合、２つのスピーカー１０７ａ，１０７ｂよりステレオ効果をもった着信音が放音され、補助操作部１０３の３方向レバー１０３ａを押下すると着信音が止まり、スピーカー１０７ｂが不動作となるとともに、スピーカー１０７ａが受話スピーカーとなり、またマイク１０８が動作して通話を行うことができる。
【００１５】
また、図２に示すように、表示部側筐体１０１ａと操作部側筐体１０１ｂとが開いた状態では、主操作部１０２によって、各種機能を起動させることができるとともに、着信があった場合、通話することができるようになっている。
即ち、開状態にて携帯端末装置１００に着信があった場合、２つのスピーカー１０７ａ，１０７ｂよりステレオ効果をもった着信音が放音され、主操作部１０２のファンクションキー１０２ｂを押下すると着信音が止まり、スピーカー１０７ａが不動作となるとともに、スピーカー１０７ｂが受話スピーカーとなり、またマイク１０８が動作して通話を行うことができる。なお、開状態の時、誤動作を防止するために、３方向レバー１０３ａ及びサイドキー１０３ｂによって行われる操作を無効とするようロックするようになっている。
【００１６】
また、本発明の携帯端末装置１００は、図２（ｂ）に示すように、操作部側筐体１０１ｂの主操作部１０２を有する面と反対側の面に撮像装置１０９と録音用マイク１１０を備えており、これらは、表示部側筐体１０１ａと操作部側筐体１０１ｂとが開いた状態でも、あるいは閉じた状態でも動作することができるようになっている。特に、本発明の携帯端末装置１００によれば、閉状態にて撮像装置１０９を被写体に向ければ、コンパクトな状態で撮像装置１０９に取り込まれた画像を表示面１０６ａに映し出し、ユーザーが確認しながら撮影することができるとともに、携帯端末装置１００の両端を両手でしっかりと保持することができるため、手ブレの少ない撮影を可能とすることができる。
【００１７】
図４は本発明の携帯端末装置１００の回路図を示し、符号２２に示す各種機能は制御部２３の下で動作するようになっている。この回路図において、開閉検出部２５は表示部側筐体１０１ａと操作部側筐体１０ｂとの開閉状態を検出し、開閉状態を表わす情報を制御部２３へ送るようになっている。
また、制御部２３には補助操作部１０３の操作の有効化及び無効化を設定するキーロック制御部２４を備え、開状態では補助操作部１０３の操作を無効とするようにロックＯＮ状態とし、また閉状態では補助操作部１０３の操作を有効とするようにロックＯＦＦ状態とするようになっている。
さらに、閉状態から表示部側筐体１０１ａを操作部側筐体１０１ｂに対して１８０度回動させた開状態とすると、表示面１０６ａの上下の向きが逆になるので、このようなときには表示画面の上下が１８０度反転して表示されるようになっている。
【００１８】
また、制御部２３には撮像装置１０９及び録音用マイク１１０も接続されている。撮像装置１０９によって撮影された画像データ及び録音用マイク１１０によって集音された音声データは制御部２３の制御によってメモリ２６に記憶される。制御部２３は主操作部１０２や補助操作部１０３からの信号を受けてメモリ２６内に保存してある画像データを表示面１０６ａに表示するとともに、メモリ２６内に保存してある音声データをスピーカー１０７ａ，１０７ｂより放音することができるようになっている。この時、画像データ及び音声データが複数ある場合、主操作部１０２や補助操作部１０３の操作によって所望の画像データ及び音声データを選択することもできる。
【００１９】
さらに、制御部２３は、選択した画像データ及び音声データを閉状態にて表示部１０６に表示した状態から開状態とすると、メール機能が起動して新規メールの作成画面が表示面１０６ａに表示されるとともに、前記選択した所望の画像データ及び音声データが前記メールに自動的に添付して無線部２１及びアンテナ１０５を介して相手先端末に送信することもできるようになっている。
【００２０】
即ち、第三者に送りたい画像データを選択した状態で閉状態から開状態とする動作を行うだけで、新規メールの作成画面を自動的に起動させるとともに、予め選択した画像データを自動添付することができるため、操作性を大幅に向上させることができる。しかも、開状態とすることで主操作部１０２による操作が可能となるため、直ちに表示面１０６ａに表示されている新規メールの作成画面へ文字や記号等の入力を行うことができ、開状態とするのと同時にメール文章の作成を行うことができる。そして、メール文章の作成後、送信先を指定してメールの発信を行えば、選択した画像を簡単に第三者へ送信することができる。
【００２１】
以下、本発明の携帯端末装置１００における撮影モードから新規メールの作成画面への移行状態について図５の動作フローチャート及び図６の画面遷移図を基に説明する。
閉状態にある携帯端末装置１００において、補助操作部１０３としての３方向レバー１０３ａを押下することで表示面１０６ａにメインメニュー画面７０１を表示させる（Ｓ５０１）。
メインメニュー画面７０１には、メール、ウェブ、カメラ、データフォルダ、位置情報確認等の各種機能を示すメニュー項目が表示されており、これらメニュー項目の中から３方向レバー１０３ａを上下動させて「カメラ」を選択し、３方向レバー１０３ａを押下すると撮影モード画面７０３に移行する（Ｓ５０２）。
【００２２】
撮影モード画面７０３のトップには「静止画撮影」及び「動画撮影」の２つの選択肢が表示されている。
この状態で３方向レバー１０３ａの操作により「静止画撮影」を選択、決定すると、静止画撮影用画面７０５に移行し、被写体に撮像装置１０９を向け、所望のタイミングで撮影ボタンとしての３方向レバー１０３ａを押下すると（Ｓ５０３）、ファイル名が付けられて画像データとして取り込まれ、メモリ２６内に記憶されるとともに、撮影した画像を表示面１０６ａに表示させる（Ｓ５０４）。
【００２３】
また、撮影モード画面７０３において３方向レバー１０３ａの操作により「動画撮影」を選択、決定すると、動画撮影用画面７０７に移行し、被写体に撮像装置１０９を向け、所望のタイミングで撮影ボタンとしての３方向レバー１０３ａを押下すると（Ｓ５０３）、撮像装置１０９より動画像の撮影が開始されるとともに、録画用マイク１１０より周囲の音が集音され、再度３方向レバー１０３ａを押下する（Ｓ５０３）と動画撮影が中止され、撮影した画像データと音声データとがファイル名を付けてメモリ２６内に記憶されるとともに、撮影した画像を表示面１０６ａに表示させる（Ｓ５０４）。
【００２４】
なお、表示面１０６ａには最新の画像データが表示されるようになっており、撮影した画像データが複数ある場合、３方向レバー１０３ａを上下動させることにより表示面１０６ａに表示させる画像を選択することができるようになっている。
その後、開閉検出部２８によって、表示部側筐体１０１ａが操作部側筐体１０１ｂに対して開かれたか否かを判断し（Ｓ５０５）、開状態になった場合には次処理に進み（Ｓ５０６）、開状態にならなかった場合には前処理（Ｓ５０３）に戻る。
【００２５】
携帯端末装置１００が開状態となった場合には、メール機能を自動的に起動させて表示面１０６ａに新規メールの作成画面７１１を表示するとともに、Ｓ５０４で表示面１０６ａに表示していた画像データ７０５又は７０９を、新規メールに自動添付するようになっている（Ｓ５０７）。この時、メールの「添付」欄に当該画像データ７０５又は７０９に対応付けて記録されているファイル名を表示するようになっている（Ｓ５０９）。
【００２６】
このように、本発明の携帯端末装置１００によれば、閉状態にて表示面１０６ａに所望の画像を表示した状態で開状態とするだけでメール機能を起動的に起動して表示面１０６ａに新規メールの作成画面を表示させるとともに、閉状態にて表示面１０６ａに表示していた画像を前記新規メールに自動添付することができるため、従来のように、メール機能を立ち上げたり、添付したい画像データを読み出すといった操作を別々に行う必要がない。
【００２７】
また、本発明の携帯端末装置１００によれば、図５に示すように、開状態において新規メールの作成画面７１１にメール文章を作成し、送り先を指定してメールの入力完了後（Ｓ５１１）、主操作部１０２の特定のファンクションキー１０２ｂを押下することで（Ｓ５１７）、作成したメール文章と添付画像を第三者に送ることができ（Ｓ５１９）、また、送り先を指定してメールの入力完了後、表示部側筐体１０１ａを操作部側筐体１０１ｂに対して回動させて閉状態とすることで（Ｓ５１３）、メール文章と添付画像を第三者に自動的に発信することもできるようになっている（Ｓ５１５）。
即ち、メール機能を使った後は携帯端末装置１００を使用しない場合、携帯し易くするために閉状態とするのであるが、本発明によれば、開状態でのメール作成後に閉状態とする時、指定した送り先に自動的に発信させることができるため、閉状態とした時にはそのまま携帯することができる。
【００２８】
次に、本発明の携帯端末装置１００における画像データ一覧画面から新規メールの作成画面への移行状態について図７の動作フローチャート及び図８の画面遷移図を基に説明する。
閉状態にある携帯端末装置１００において、補助操作部１０３としての３方向レバー１０３ａを押下することで表示面１０６ａにメインメニュー画面７０１を表示させ（Ｓ６０１）、さらに３方向レバー１０３ａの操作によってメインメニュー画面７０１中のデータフォルダを選択、決定して画像データ一覧画面８０１を表示面１０６ａに読み出して表示する（Ｓ６０３）。
【００２９】
次に、３方向レバー１０３ａの操作により画像データ一覧画面８０１の画像データ項目の中から一つの画像データ項目を選択、決定して選択した所望の画像データ８０３（例えば、「アメフト」というファイル名の画像データ）を表示面１０６ａに表示させる（Ｓ６０５）。
その後、開閉検出部２８によって、表示部側筐体１０１ａが操作部側筐体１０１ｂに対して開かれた否かを判断し（Ｓ６０７）、開状態になった場合には次処理に進み（Ｓ６０９）、開状態にならなかった場合には前処理（Ｓ６０５）に戻る。
【００３０】
携帯端末装置１００が開状態となった場合には、メール機能を起動して表示面１０６ａに新規メールの作成画面８０５を表示するとともに、Ｓ６０５で表示面１０６ａに表示していた画像データ８０３を、新規メールに自動添付するようになっている（Ｓ６１１）。この時、メールの「添付」欄に当該画像ファイルに対応付けて記録されているファイル名を表示するようになっている（Ｓ６１３）。
【００３１】
開状態において新規メールの作成画面８０５にメール文章を作成し、送り先を指定してメールの入力完了後（Ｓ６１５）、主操作部１０２の特定のファンクションキー１０２ｂを押下することで（Ｓ６２１）、作成したメール文章と添付画像を第三者に送ることができ（Ｓ６２３）、また、送り先を指定してメールの入力完了後、表示部側筐体１０１ａを操作部側筐体１０１ｂに対して回動させて閉状態とすることで（Ｓ６１７）、メール文章と添付画像を第三者に自動的に発信することもできるようになっている（Ｓ６１９）。
以上、本発明の実施形態について示したが、本発明は前述したものだけに限定されるものではなく、その範囲を逸脱しない限り、変更及び修正されたものにも適用できることは言う迄もない。
【００３２】
【発明の効果】
以上のように、請求項１に係る発明によれば、閉状態にて複数の画像データの中から所望の画像データを選択した後、開状態とするだけで、メール機能を自動的に起動させて表示面に新規メールの作成画面を表示させることができるとともに、前記選択した所望の画像データをメールに自動添付することができるため、従来のように、メール機能を立ち上げたり、添付したい画像データを読み出すといった操作を別々に行う必要がなく、さらには開状態とするだけで直ちにメール文章の入力を行うことができるというように、操作性を大幅に簡略化することができる。その為、本発明の携帯端末装置によれば、記録してある画像データを第三者に簡単に素早く送ることができる。
【００３３】
また、請求項２に係る発明によれば、開状態にてメール作成画面への入力完了後、閉状態とすることでメールを自動発信することができるため、携帯端末装置をしまうという動作とメールを送るという動作を同時に行うことができ、操作性をさらに簡略化することができる。
さらに、請求項３に係る発明によれば、撮像装置を備えることからユーザー自身が所望の撮影データを撮影することができる。特に請求項４に係る発明のように、撮像装置を操作部側筐体の主操作部を有する面と反対側の面に配置し、閉状態にてカメラ撮影できるようにすることで、携帯端末装置の両端を両手でしっかりと保持し、手ブレの少ない撮影を可能とすることができる。
【図面の簡単な説明】
【図１】本発明の一例である携帯端末装置の閉じた状態を示す図。
【図２】本発明の一例である携帯端末装置の開いた状態を示す図。
【図３】本発明の一例である携帯端末装置の開いた状態を示す図。
【図４】本発明の一例である携帯端末装置における機能ブロック図。
【図５】本発明の一例である携帯端末装置における一実施形態を説明するための動作フローチャート。
【図６】本発明の一例である携帯端末装置における一実施形態を説明するための画面遷移図。
【図７】本発明の一例である携帯端末装置における他の実施形態を説明するための動作フローチャート。
【図８】本発明の一例である携帯端末装置における他の実施形態を説明するための画面遷移図。
【符号の説明】
２１      無線部
２２      各種機能部
２３      制御部
２４      キーロック制御部
２５      開閉検出部
２６      メモリ
１００    携帯端末装置
１０１ａ  表示部側筐体
１０１ｂ  操作部側筐体
１０３    補助操作部
１０３ａ  ３方向レバー
１０３ｂ  サイドキー
１０４    軸
１０５    アンテナ
１０６    表示部
１０６ａ  表示面
１０７ａ，１０７ｂ  スピーカー
１０８    マイク
１０９    撮像装置
１１０    録音用マイク
【図１】
2004153453.tif 000003
【図２】
2004153453.tif 000004
【図３】
2004153453.tif 000005
【図４】
2004153453.tif 000006
【図５】
2004153453.tif 000007
【図６】
2004153453.tif 000008
【図７】
2004153453.tif 000009
【図８】
2004153453.tif 000010